(57)【要約】【課題】  簡易な構成により意匠性に優れた見栄えを実現する。【解決手段】  上底面１と、下底面２と、上底面１と下底面２との間に設けられている側面３とを有し、内部に包装物２０の収納部４が構成される包装容器１０であり、側面３に設けられていて外部から収納部４を視認可能にするための透視部５と、透視部５の方向を凹面として収納部５内に配置される光反射性の化粧板６と、凹面側の収納部４内に設けられていて包装物２０を保持する保持部材７と、を備える。【選択図】図２
2016041601.tif 000002
【特許請求の範囲】
【請求項１】
上底面と、下底面と、前記上底面と前記下底面との間に設けられている側面とを有し、内部に包装物の収納部が構成される包装容器であり、
前記側面に設けられていて外部から前記収納部を視認可能にするための透視部と、
前記透視部の方向を凹面として前記収納部内に配置される光反射性の化粧板と、
前記化粧板の凹面側の前記収納部内に設けられていて前記包装物を保持する保持部材と、
を備える包装容器。
【請求項２】
前記化粧板の両端は、前記底面視において図心を挟む対称方向に配置されている、
請求項１記載の包装容器。
【請求項３】
前記上底面と前記下底面は、四角形以上の多角形状であり、
前記透視部は、２以上の前記側面に設けられていて、
前記化粧板は、両端が前記底面視において隣接していない一組の接辺を結ぶように配置されている、
請求項１または２記載の包装容器。
【請求項４】
前記保持部材は、透光性の材料により構成されている、
請求項１乃至３のいずれかに記載の包装容器。
【請求項５】
前記化粧板は、前記底面視において中心部の付近に屈曲部を有する、
請求項１乃至４のいずれかに記載の包装容器。
【請求項６】
前記保持部材は、前記屈曲部から前記透視部の方向に向かって配置されている、
請求項５記載の包装容器。
【請求項７】
前記化粧板は、前記底面視において湾曲部を有する、
請求項１乃至４のいずれかに記載の包装容器。
【請求項８】
前記透視部は、透光性の部材により構成されている、
請求項１乃至７のいずれかに記載の包装容器。
【請求項９】
前記化粧板は、鏡面または半鏡面加工が施されている、
請求項１乃至８のいずれかに記載の包装容器。
【請求項１０】
前記上底面の中央部には、フックを挿入する挿入孔が設けられており、
前記フックを介して、陳列可能である、
請求項１乃至９のいずれかに記載の包装容器。
【請求項１１】
前記挿入孔は、前記フックの正面が前記透視部に向かって配置できるように設けられている、
請求項１０に記載の包装容器。
【発明の詳細な説明】
【技術分野】
【０００１】
本発明は、包装容器に関するものである。
【背景技術】
【０００２】
イヤホン等の各種製品は、製品の保護等のために紙製の箱や樹脂製のブリスターパックなどの包装容器に収納されて流通する。製品は、台紙やブリスターパックなどの包装材に固定された上で包装容器に収納されている。
【０００３】
従来の包装容器は、製品の陳列時に収納される製品がよく見えるようにするために、包装容器における正面など一部の面に透光性の部材を用いている。
【０００４】
しかしながら、従来の包装容器は、上述のように、収納する製品を製品が見えるように内部に固定するのみであった。そのため、従来の包装容器では、収納する製品の全体像が包装容器の外部から視認しづらかった。
【０００５】
また、従来の包装容器では、包装容器内部に製品が平面的に固定されることから、製品が平面的に見えてしまうという課題があった。そのため、このような包装容器は、製品の陳列時に製品を目立たせることができず、意匠性に欠けた見栄えとなっていた。
【０００６】
なお、包装容器において、収納する製品の視認性や見栄えを改善するための技術が開示されている（例えば、特許文献１，２参照）。
【０００７】
特許文献１に開示された技術は、包装容器内のミラーが存在しないような錯覚を与えるため、駆動装置など複雑な構成を要していた。そのため、この技術には、製品とともに提供される包装容器としては、コストなどの観点から適さないという問題がある。
【０００８】
また、特許文献２に開示された技術では、製品がよく見えるように表示面積を広げようとしているものの、外部からみて製品が平面的に見えてしまうという課題があった。そのため、特許文献２に開示された技術は、意匠性に優れた見栄えを実現できなかった。
【先行技術文献】
【特許文献】
【０００９】
【特許文献１】実公平７−８４２４号公報
【特許文献２】特許第３４１７４２９号公報
【発明の概要】
【発明が解決しようとする課題】
【００１０】
本発明は、簡易な構成により意匠性に優れた見栄えを実現することができる包装容器を提供することを目的とする。
【課題を解決するための手段】
【００１１】
本発明は、上底面と、下底面と、上底面と下底面との間に設けられている側面とを有し、内部に包装物の収納部が構成される包装容器であり、側面に設けられていて外部から収納部を視認可能にするための透視部と、透視部の方向を凹面として収納部内に配置される光反射性の化粧板と、凹面側の収納部内に設けられていて包装物を保持する保持部材と、を備えることを特徴とする。
【発明の効果】
【００１２】
本発明によれば、簡易な構成により意匠性に優れた見栄えを実現することができる。
【図面の簡単な説明】
【００１３】
【図１】本発明に係る包装容器の実施の形態を示す斜視図である。
【図２】図１の包装容器の上底面を開放した状態を示す斜視図である。
【図３】図１の包装容器の底面視の断面図である。
【図４】図１の包装容器において透視部の視野角を説明する底面視の断面図である。
【図５】本発明に係る包装容器の別の実施の形態を示す斜視図である。
【図６】図５の包装容器の上底面を開放した状態を示す斜視図である。
【図７】図５の包装容器の底面視の断面図である。
【図８】本発明に係る包装容器のさらに別の実施の形態を示す斜視図である。
【図９】フックの斜視図である。
【発明を実施するための形態】
【００１４】
●包装容器（１）●
以下、本発明に係る包装容器の実施の形態について、図面を参照しながら説明する。
【００１５】
図１は、本発明に係る包装容器の実施の形態を示す斜視図である。同図に示すように、包装容器１０は、上底面１と、下底面２と、上底面１と下底面２との間に設けられている側面３とを有する多面体である。
【００１６】
包装容器１０には、上底面１と下底面２と側面３により、収納部４が構成されている。上底面１と下底面２は、包装容器１０の底面の形状を定めている。収納部４は、イヤホンなどの包装物２０を収納できる。
【００１７】
なお、本発明に係る包装容器は、イヤホンの収納に限定されず、アクセサリー類のように一組で販売される製品や、マイクロホンのように細長形状の製品等、様々な製品を包装物として収納できる。
【００１８】
図２は、包装容器１０の上底面１を開放した状態を示す斜視図である。同図に示すように、上底面１には、包装容器１０を組み立てるときに上部の開口部に差し込まれる差込部１１が設けられている。また、下底面２には、包装容器１０を組み立てるときに下部の開口部（不図示）に差し込まれる差込部（不図示）が設けられている。
【００１９】
この実施形態において、上底面１と下底面２は、ともに四角形状である。しかし上底面１と下底面２は、四角形以上の多角形状、円形や楕円形、長円形などであってもよい。また、上底面１と下底面２の形状は、本実施の形態ではほぼ同一の形状であるが、相似形や異なる形状であってもよい。
【００２０】
図１，図２に示すように、包装容器１０が組み立てられた状態のときに、側面３の上下方向の両端部は、上底面１及び下底面２との端部に接する。この実施形態において、側面３はほぼ矩形状である。しかし側面３は、上底面１と下底面２とに繋がる形状であれば他の形状であってもよい。
【００２１】
側面３には、内フラップ３１が設けられている。内フラップ３１は、包装容器１０が組み立てられたときに上底面１の開口部と下底面２の開口部に収容される。また、側面３には、外部から収納部４を視認可能にするための透視部５が設けられている。
【００２２】
透視部５は、樹脂材料などの透光性の部材からなる。側面３に設けられている開口に透光性の部材を取り付けることで透視部５は構成されている。
【００２３】
透視部５は、包装容器１０の複数の側面３同志の接辺５１を含むように、２以上の側面３に設けられている。
【００２４】
収納部４には、表面が光反射性の材料で構成されている化粧板６が設けられている。化粧板６の上記表面は、透視部５の方向に向けられている。
【００２５】
図３は、包装容器１０の底面視の断面図である。同図に示すように、包装容器１０収納部４内には、化粧板６が配置されている。化粧板６は、側面３側に設けられ、透視部５に対向する方向を凹面として配置されている。包装物２０の影が映り込むようにするため、化粧板６の表面（透視部５に面する側の面）は白色や銀色などの明度の高い色で加工されているとよい。なお、包装物２０の影をより明瞭に映り込ませるため、化粧板６の表面の加工には、半鏡面加工や鏡面加工がより好ましい。
【００２６】
また、化粧板６は、その両端が包装容器１０の底面視において、隣接していない一組の接辺３２方向に延びるように配置されている。つまり、化粧板６は、透視部５の一辺から他方の一辺を結ぶように配置されている。換言すれば、化粧板６は、その両端が底面視において図心ＣＦを挟む対称方向になるように配置されていて、透視部５の外部方向から見て包装容器１０の透視部５同士の接辺５１から図３において対角方向の接辺５２に向かう向きに配置されている。
【００２７】
化粧板６の短手方向の長さは、包装容器１０の底面視の対角線の長さより長い。このため、化粧板６は、収納部４の内部において撓み、包装容器１０の底面視において湾曲部６１を有する。
【００２８】
包装容器１０の内部には、包装物２０を保持するための保持部材７が設けられている。保持部材７は、収納部４内において、化粧板６の凹面側と透視部５との間に、一組の接辺３２を結ぶ対角線に沿って設けられている。
【００２９】
保持部材７は、樹脂材料などの透光性の材料により構成されている。保持部材７の短手方向の長さは、包装容器１０の底面視の対角線の長さにほぼ等しい。保持部材７には、包装物２０を保持するための孔や開口、あるいはフックなど、包装物２０を保持するための構成が設けられている。保持部材７に包装物２０を保持させる際には、いずれも不図示のビニールタイや針金などが上記孔や開口に通され、またはフックに引っ掛けられて、包装物２０を保持するとよい。
【００３０】
図１に戻る。包装容器１０の上部には、ヘッダー８が設けられている。ヘッダー８には、収納されている包装物を商品として不図示のフックなどに掛けて陳列する際に用いる陳列用孔９が設けられている。
【００３１】
図４は、包装容器１０において透視部５の視野角を説明する底面視の断面図である。同図に示すように、包装容器１０には、透視部５が２以上の側面３に設けられている。包装容器１０の底面視において、透視部５は側面の長さの概ね１／３〜半分程度の範囲に設けられていることが好ましい。
【００３２】
そのため、包装容器１０によれば、透視部５を介することで、側面３の外部方向から広い範囲（図４では概ね１８０°）において、収納部４を視認することができる。
【００３３】
包装容器１０では、透視部５が包装容器１０の複数の側面３同志の接辺５１を含むように設けられている。そのため、この接辺５１とその対角位置を結んだ外部方向から包装物２０を見た場合、包装容器１０の対角線ＤＬの方向が収納部４の奥行きになる。したがって、この包装容器１０によれば、奥行き方向の収納部４の長さ、特に化粧板６と保持部材７との間に距離Ｌの間隔を確保することができる。
【００３４】
また、包装容器１０では、保持部材７により、湾曲部６１を有する光反射性の化粧板６から距離Ｌだけ離れて包装物２０を配置することができる。
【００３５】
包装容器１０によれば、外部から包装物２０を見た場合に、化粧板６の表面に包装物２０の影や像が写り込む。したがって、保持部材７に取り付けられた包装物２０と化粧板６との距離感が明確になり、その結果、包装物２０が浮いているように見せることができる。
【００３６】
●包装容器（２）●
次に、本発明に係る包装容器の別の実施の形態について、先に説明した実施の形態との相違点のみ説明する。
【００３７】
図５は、本発明に係る包装容器の別の実施の形態を示す斜視図である。同図に示すように、本実施の形態に係る包装容器１００は、化粧板６０と保持部材７０の構成において先に説明した包装容器１０と相違する。その他の構成は、包装容器１０と共通である。
【００３８】
図６は、包装容器１００の上底面１を開放した状態を示す斜視図である。また、図７は、包装容器１００の底面視の断面図である。図６と図７に示すように、包装容器１００の収納部４には、表面が光反射性の材料で構成されている化粧板６０が設けられている。
【００３９】
化粧板６０は、透視部５が形成されていない方の側面３に沿って設けられていて、透視部５に対向する方向を凹面として収納部４内に配置されている。先に説明した化粧板６と同様に、化粧板６の表面は、白色や銀色などの明度の高い色で加工されているとよい。なお、上記の視覚的効果を与えるには、半鏡面加工や鏡面加工が施された化粧板６がより好ましい。
【００４０】
化粧板６０の両端は、先に説明した化粧板６と同様に、包装容器１００の底面視において、隣接していない一組の接辺３２方向に配置されている。さらに、化粧板６０は、透視部５の一辺から他方の一辺を結ぶように配置されている。
【００４１】
化粧板６０は、底面視の長さが包装容器１００の底面視の対角線ＤＬの長さより長い。そのため、化粧板６０は、収納部４の内部の底面視において、中心部付近において折れ曲がり、屈曲部６０１を有する。
【００４２】
包装容器１００の収納部４内には、化粧板６の凹面側と透視部５との間に、保持部材７０が設けられている。保持部材７０は、化粧板６０の屈曲部６０１から透視部５の接辺５１方向に、対角線ＤＬに沿って配置されていて、包装物２０を保持する。
【００４３】
保持部材７０は、樹脂材料などの透光性の材料により構成されている。保持部材７０は、底面視の長さが包装容器１００の底面視の対角線ＤＬの長さよりやや短い。保持部材７０には、先に説明した保持部材７０と同様に、包装物２０を保持するための孔や開口、あるいはフックなど、包装物を保持するための構成が設けられている。
【００４４】
包装容器１００では、透視部５と屈曲部６０１を有する光反射性の化粧板６０と保持部材７０により、外部から包装物２０を見た場合に、包装物２０が浮いているように見せることができる。さらに、包装容器１００によれば、包装物２０の取り付け方向の自由度が向上するため、包装物２０の全体像が見えやすい包装容器を提供することができる。このことは、包装物２０（製品）の意匠性が増すのみでなく、購入希望者が製品を選択する際に製品の全体像を購入前に確認の手助けとなる。このような包装容器１００を用いることにより、製品の購入希望者の購買意欲を掻き立てることが期待できる。
【００４５】
●包装容器（３）●
次に、本発明に係る包装容器のさらに別の実施の形態について、先に説明した実施の形態との相違点のみ説明する。
【００４６】
図８は、本発明に係る包装容器のさらに別の実施の形態を示す斜視図である。同図に示すように、本実施の形態に係る包装容器２００は、上底面１１０とフック８０の構成において先に説明した包装容器１０，包装容器１００と相違する。その他の構成は、包装容器１０，包装容器１００と共通である。
【００４７】
包装容器２００において、フック８０を取り付けるために、上底面１１０には、中央部に孔１１１が設けられている。孔１１１は、フック８０を挿入できるように、底面視のフック８０の形状よりわずかに大きい寸法で形成されている。
【００４８】
図９は、フック８０の斜視図である。同図に示すように、フック８０には、陳列用孔９が設けられている。また、フック８０には、フック８０と略垂直方向の面からなる係止部８１が設けられている。係止部８１は、上底面１１０の裏面（収納部４側）からフック８０が孔１１１に挿入されたときに、上底面１１０の裏面に係止されてフック８０の位置を定める。
【００４９】
包装容器２００によれば、先に説明した包装容器１０，包装容器１００と同様に、透視部５と光反射性の化粧板６０と保持部材により、外部から包装物２０を見た場合に、包装物２０が浮いているように見せることができる。また、包装容器２００によれば、フック８０が上底面１１０の中心部に設けられているため、商品陳列時に傾くことなく陳列が可能となり、包装物２０が観者の正面を向きやすく見栄えが良い。また、フック８０の正面が透視部に向って配置できるように、孔１１１が設けられてもよい。実施例に従って言い換えれば、包装容器２００において、フック８０の横軸が上底面１１０の対角線に沿うように孔１１１が設けられてもよい。このようにすることで、包装容器２００によれば、接辺５１を正面に向けて陳列できるため、観者が手に取らなくても、製品全体を観者に視認させることができる。
【００５０】
●実施の形態の効果●
以上説明したように、本実施の形態に係る包装容器によれば、以下の効果を得ることができる。
【００５１】
本実施の形態に係る包装容器によれば、側面の透視部と、透視部の背面に設けられている化粧板と、透視部と化粧板との間に包装物を保持する保持部材という簡易な構成により、意匠性に優れ、見栄えのよい包装を実現することができる。
【００５２】
具体的には、本実施の形態に係る包装容器によれば、半鏡面加工などの光沢のある化粧板を用いることで、包装物の影像（シルエット）が化粧板に映り込む。この映りこみにより、包装物との距離感が明確になり、包装物が浮いているように見せることができる。
【００５３】
また、透視部５は、樹脂材料などの透光性の部材からなるものとして説明した。しかし、透視部５は、外部から収納部４に収納されているイヤホンなどの包装物２０を視認可能にすることができればよいため、透光性の部材を設けず、単に開口が設けられているだけでもよい。この場合、この梱包容器はディスプレイ用に最適な梱包容器になる。
【００５４】
また、本実施の形態に係る包装容器によれば、側面の一部に透視部を大きく設けることができる。さらに透明な保持部材が用いられているため、包装物の全体像を広角的、多角的に見せることができる。その結果、購入予定者による包装物（商品）の全体像の確認を助けることが可能になり、購買意欲を向上させることが期待できる。
【符号の説明】
【００５５】
１     上底面
２     下底面
３     側面
４     収納部
５     透視部
６     化粧板
７     保持部材
８     ヘッダー
９     陳列用孔
１０   包装容器
１１   差込部
２０   包装物
３１   内フラップ
３２   接辺
５１   接辺
６０   化粧板
６１   湾曲部
７０   保持部材
８０   フック
８１   係止部
８０   フック
１００ 包装容器
１１０ 上底面
１１１ 孔
２００ 包装容器
６０１ 屈曲部
【図１】
2016041601.tif 000003
【図２】
2016041601.tif 000004
【図３】
2016041601.tif 000005
【図４】
2016041601.tif 000006
【図５】
2016041601.tif 000007
【図６】
2016041601.tif 000008
【図７】
2016041601.tif 000009
【図８】
2016041601.tif 000010
【図９】
2016041601.tif 000011